(57)【要約】【課題】  デジタル回線との接続インターフェースを有する機器に、容易にテレビ電話機能を付加することができるテレビ電話モジュールを提供する。【解決手段】  テレビ電話モジュール１は、コマンドインターフェース部３を介して主制御部２に入力される開始コマンドに応じて動作を開始し、ネットワークインターフェース部７に入力されたビットストリームデータを、多重分離部８で分離し、映像信号は、映像信号圧縮伸張部９で伸張処理されディスプレイインターフェース部５から出力され、音声信号は、音声信号圧縮伸張部１０で伸張処理されオーディオインターフェース部６から出力される。カメラインターフェース部４に入力された映像信号、オーディオインターフェース部６に入力された音声信号は同様にして圧縮され多重化されて出力される。【選択図】図１
2005295402.tif 000002
【特許請求の範囲】
【請求項１】
デジタル回線との接続インターフェースを有する接続端末機器に接続されてテレビ電話機能を実現するテレビ電話モジュールであって、
前記接続端末機器を介してビットストリームデータの送信／受信を行うためのネットワークインターフェース部と、
前記ビットストリームデータにおける映像信号と音声信号を多重化及び分離する多重分離部と、
前記映像信号を圧縮及び伸張する映像信号圧縮伸張部と、
前記音声信号を圧縮及び伸張する音声信号圧縮伸張部と、
カメラからの画像信号を入力するためのカメラインターフェース部と、
画像信号をディスプレイに出力するためのディスプレイインターフェース部と、
音声信号の入出力を行うためのオーディオインターフェース部と、
前記接続端末機器からテレビ電話を開始／終了するコマンドを入力するためのコマンドインターフェース部と、
前記コマンドインターフェース部を介して入力されたコマンドに応じてテレビ電話を開始／終了するようテレビ電話モジュール全体を統括的に制御する主制御部と
を一体的に構成しモジュール化したことを特徴とするテレビ電話モジュール。
【請求項２】
３Ｇ−３２４Ｍプロトコルにより前記ビットストリームデータの送信／受信を行うことを特徴とする請求項１記載のテレビ電話モジュール。
【請求項３】
前記映像信号圧縮伸張部がＭＰＥＧ−４形式で映像信号を圧縮伸張することを特徴とする請求項２記載のテレビ電話モジュール。
【請求項４】
前記音声信号圧縮伸張部がＧＳＭ−ＡＭＲ形式で音声信号を圧縮伸張することを特徴とする請求項２又は３記載のテレビ電話モジュール。
【発明の詳細な説明】
【技術分野】
【０００１】
本発明は、デジタル回線との接続インターフェースを有する接続端末機器にテレビ電話機能を付加するテレビ電話モジュールに関する。
【背景技術】
【０００２】
従来、通常の電話端末では、音声により情報伝達を行い、映像情報を伝達することはできなかった。また、近年普及しているカメラ付携帯電話では、撮影した画像をメールの添付ファイルとして送信することは可能であるが、リアルタイム性がなく、映像を見ながら会話を行うことはできなかった。
近年の所謂第３世代携帯電話端末においては、テレビ電話機能を有するものも製品化されているが、これは携帯電話端末として製品化されたものであり、テレビ電話機能を他の接続端末機器に組み込むようなことはできない。また、ＰＣ（パーソナルコンピュータ）を使用し、インターネットを通じてテレビ電話機能を実現することも行われているが、このような場合、ＰＣが必要となるため、その装置構成が複雑でかつ高価になってしまう。
【発明の開示】
【発明が解決しようとする課題】
【０００３】
上述したとおり、従来においては、デジタル回線との接続インターフェースを有する固定電話等の接続端末機器にテレビ電話機能を付加するようなことは容易には行えず、簡易にテレビ電話機能を実現するようなことは困難であった。
【０００４】
本発明は上述した課題を解決するためになされたものであり、デジタル回線との接続インターフェースを有する接続端末機器に、容易にテレビ電話機能を付加することのできるテレビ電話モジュールを提供しようとするものである。
【課題を解決するための手段】
【０００５】
本発明のテレビ電話モジュールは、デジタル回線との接続インターフェースを有する接続端末機器に接続されてテレビ電話機能を実現するテレビ電話モジュールであって、前記接続端末機器を介してビットストリームデータの送信／受信を行うためのネットワークインターフェース部と、前記ビットストリームデータにおける映像信号と音声信号を多重化及び分離する多重分離部と、前記映像信号を圧縮及び伸張する映像信号圧縮伸張部と、前記音声信号を圧縮及び伸張する音声信号圧縮伸張部と、カメラからの画像信号を入力するためのカメラインターフェース部と、画像信号をディスプレイに出力するためのディスプレイインターフェース部と、音声信号の入出力を行うためのオーディオインターフェース部と、前記接続端末機器からテレビ電話を開始／終了するコマンドを入力するためのコマンドインターフェース部と、前記コマンドインターフェース部を介して入力されたコマンドに応じてテレビ電話を開始／終了するようテレビ電話モジュール全体を統括的に制御する主制御部とを一体的に構成しモジュール化したことを特徴とする。
【０００６】
また、本発明のテレビ電話モジュールは、３Ｇ−３２４Ｍプロトコルにより前記ビットストリームデータの送信／受信を行うことを特徴とする。
【０００７】
また、本発明のテレビ電話モジュールは、前記映像信号圧縮伸張部がＭＰＥＧ−４形式で映像信号を圧縮伸張することを特徴とする。
【０００８】
また、本発明のテレビ電話モジュールは、前記音声信号圧縮伸張部がＧＳＭ−ＡＭＲ形式で音声信号を圧縮伸張することを特徴とする。
【発明の効果】
【０００９】
本発明のテレビ電話モジュールによれば、デジタル回線との接続インターフェースを有する接続端末機器に、容易にテレビ電話機能を付加することができる。
【発明を実施するための最良の形態】
【００１０】
以下、本発明の詳細を、図面を参照して一実施形態について説明する。
【００１１】
図１は、本実施形態に係るテレビ電話モジュールの構成を示すもので、テレビ電話モジュール１は、所定のプロトコル（本実施形態では３ＧＰＰ（3rd Generation Partnership Project）で標準化された３Ｇ−３２４Ｍに準拠したプロトコル）に基づいてテレビ電話機能（リアルタイムでの音声と動画情報の双方向伝達）を実現するものである。なお、３ＧＰＰでは、映像信号がＭＰＥＧ−４形式、音声信号がＧＳＭ−ＡＭＲ形式で圧縮・伸張処理される。
【００１２】
同図に示すように、テレビ電話モジュール１は、主制御部２と、コマンドインターフェース部３と、カメラインターフェース部４と、ディスプレイインターフェース部５と、オーディオインターフェース部６と、ネットワークインターフェース部７と、多重分離部８と、映像信号圧縮伸張部９と、音声信号圧縮伸張部１０とを具備しており、これらの構成を、例えば１枚の基板上に配置して一体化され、モジュール化されている。
【００１３】
上記主制御部２は、ＣＰＵ等からなり、テレビ電話モジュール１全体を統括的に制御するものである。また、コマンドインターフェース部３は、テレビ電話を開始／終了するコマンドを入力するためのものであり、主制御部２は、このコマンドインターフェース部３を介して入力されたコマンドに従って、テレビ電話モジュール１によるテレビ電話機能を起動及び停止する。なお、上記コマンドに代えてＧＰＩＯ（General Purpose I/O ）ピンによる信号入力とすることもできる。
【００１４】
また、カメラインターフェース部４は、ＣＣＤカメラやＣＭＯＳセンサ等からなるテレビカメラからの映像信号を入力するためのものであり、ディスプレイインターフェース部５は、ＬＣＤ等のディスプレイ装置に映像出力を行うためのものである。さらに、オーディオインターフェース部６は、音声の入出力を行うためのものであり、ネットワークインターフェース部７は、ビットストリームデータの送信／受信を行うためのものである。なお、前記したとおりビットストリームデータの送信／受信は３Ｇ−３２４Ｍプロトコルに基づいて行われる。
【００１５】
また、多重分離部８は、ビットストリームデータの映像信号と音声信号とを分離及び多重化するものであり、映像信号圧縮伸張部９は、映像信号の圧縮伸張を行い、音声信号圧縮伸張部１０は音声信号の圧縮伸張を行うものである。前記したとおり、本実施形態では、映像信号圧縮伸張部９における映像信号の圧縮伸張をＭＰＥＧ−４形式で行い、音声信号圧縮伸張部１０における音声信号の圧縮伸張をＧＳＭ−ＡＭＲ形式で行うようになっている。なお、本実施形態では、上記のカメラインターフェース部４、ディスプレイインターフェース部５、オーディオインターフェース部６、ネットワークインターフェース部７、多重分離部８、映像信号圧縮伸張部９、音声信号圧縮伸張部１０を一体化して構成されたシステムＬＳＩ１１を使用している。
【００１６】
図２に示すように、上記構成のテレビ電話モジュール１は、ＩＳＤＮ網等のデジタル通信回線との接続インターフェースを有する端末機器、例えば電話機端末（固定電話）２０等に接続されて使用される。すなわち、テレビ電話モジュール１のコマンドインターフェース部３には、電話機端末２０からのテレビ電話を開始／終了するためのコマンドが入力され、また、ネットワークインターフェース部７には、電話機端末２０でＩＳＤＮ網から受信したテレビ電話を実施するためのビットストリームデータが入力され、また、ＩＳＤＮ網に送信されるビットストリームデータがネットワークインターフェース部７から電話機端末２０に出力される。
【００１７】
なお、電話機端末２０には、通常の音声のみによる通話を行う場合と、テレビ電話モジュール１を使用したテレビ電話による通話を行う場合を切換えるための切換機構２１が設けられている。そして、テレビ電話による通話を行う場合は、この切換機構２１を切換えてビットストリームデータをテレビ電話モジュール１に入力するようにし、これとともに、テレビ電話を開始するためのコマンドをテレビ電話モジュール１に入力するよう構成されている。
【００１８】
また、テレビ電話モジュール１のオーディオインターフェース部６には、マイク３０及びスピーカー３１等が接続され、ディスプレイインターフェース部５には液晶表示装置等のディスプレイ装置３２が接続され、カメラインターフェース部４にはＣＣＤカメラやＣＭＯＳセンサ等からなるテレビカメラ３３が接続される。
【００１９】
上記構成のテレビ電話モジュール１では、電話機端末２０からコマンドインターフェース部３を介して主制御部２に入力される開始コマンドに応じて、テレビ電話を実行するための動作が開始される。そして、電話機端末２０により、ＩＳＤＮ網への回線接続確立状態とされ、テレビ電話を実行するためのビットストリームデータがネットワークインターフェース部７に入力されると、多重分離部８において、このビットストリームデータを映像信号と音声信号とに分離する。
【００２０】
分離された映像信号は、映像信号圧縮伸張部９において、ＭＰＥＧ−４形式により伸張処理され、ディスプレイインターフェース部５からディスプレイ装置３２に出力され、表示される。また、分離された音声信号は、音声信号圧縮伸張部１０において、ＧＳＭ−ＡＭＲ形式により伸張処理され、オーディオインターフェース部６からスピーカー３１に出力される。
【００２１】
一方、テレビカメラ３３からカメラインターフェース部４に入力された映像信号は、映像信号圧縮伸張部９において、ＭＰＥＧ−４形式により圧縮処理され、これとともに、マイク３０からオーディオインターフェース部６に入力された音声信号は、音声信号圧縮伸張部１０において、ＧＳＭ−ＡＭＲ形式により圧縮処理される。そして、これらの信号が多重分離部８において多重化され、ネットワークインターフェース部７から電話機端末２０に出力される。この出力信号は、電話機端末２０からＩＳＤＮ網を通じて回線が接続されている相手方の電話機端末に送られる。
【００２２】
このようにして、ＩＳＤＮ網を通じた、映像（動画）と音声によるテレビ電話機能が実現される。また、通信先の相手側で回線接続状態を切断するか、または電話機端末２０側において回線接続状態を切断した場合は、電話機端末２０からコマンドインターフェース部３を介して主制御部２に入力される終了コマンドに応じて、テレビ電話を実行するための動作が停止される。
【００２３】
なお、上記したテレビ電話機能は、双方向で映像を見ながら音声による会話等を行う場合に限らず、例えば、一方向で映像及び音声を監視し、遠隔監視用等としても利用することもできる。また、上記の実施形態では、ＩＳＤＮ網を通じて通信を行う場合について説明したが、ＩＳＤＮ網に限らず、例えば、無線通信網を介して通信を行う場合にも適用することができる。
【００２４】
以上のように、本実施形態のテレビ電話モジュール１によれば、１つのモジュール内でテレビ電話機能を完結しているため、デジタル回線との接続インターフェースを持つ電話機端末２０等の機器に、テレビ電話モジュール１を接続することによって、容易にテレビ電話機能を追加することができる。
【００２５】
また、回線接続部分とテレビ電話機能部分を明確に分離することができるため、不具合が発生した場合にも、問題点の切り分けを容易に行うことができる。さらに、外部から与えるテレビ電話開始指示信号でテレビ電話機能の動作を開始し、テレビ電話終了指示信号でテレビ電話の動作を終了するという簡単なコマンドで動作を制御することができる。
【図面の簡単な説明】
【００２６】
【図１】本発明のテレビ電話モジュールの一実施形態の概略構成を示す図。
【図２】図１のテレビ電話モジュールの使用状態における機器の接続構成を示す図。
【符号の説明】
【００２７】
１…テレビ電話モジュール、２…主制御部、３…コマンドインターフェース部、４…カメラインターフェース部、５…ディスプレイインターフェース部、６…オーディオインターフェース部、７…ネットワークインターフェース部、８…多重分離部、９…映像信号圧縮伸張部、１０…音声信号圧縮伸張部、１１…システムＬＳＩ。
【図１】
2005295402.tif 000003
【図２】
2005295402.tif 000004